(57)【要約】【課題】電気接続箱の小型化の要求に対応しつつ回動中のアッパカバーの内壁と箱本体の外壁の干渉をより確実に防止でき、且つ防水性を確保できる、新規な構造の電気接続箱を提供すること。【解決手段】箱本体１２の一端側４２及びアッパカバー１６の一端側４２において、アッパカバー１６が箱本体１２に取り付けられた状態で、アッパカバー１６の外壁６６よりも内側に箱本体１２の外壁３２が位置付けられ、箱本体１２の外壁３２よりも内側にアッパカバー１６の内壁６４ａが位置付けられ、アッパカバー１６の内壁６４ａよりも内側に箱本体１２の内壁３０が位置付けられている一方、アッパカバー１６の内壁６４ａの突出端面８６ａの位置が、箱本体１２の外壁３２の突出端面８８の位置と同じか高くなるように設定され、且つ箱本体１２の内壁３０の突出端面９０の位置が、アッパカバー１６の内壁６４の突出端面８６ａの位置よりも高くなるように設定した。【選択図】図５
2016025803.tif 000002
【特許請求の範囲】
【請求項１】
枠状に形成された周壁を有する箱本体と、前記箱本体の上方開口部を覆うアッパカバーを備え、前記箱本体の前記周壁の上側端部及び前記アッパカバーの開口端部には、周方向に延出する内壁および外壁が隙間を隔てて配設されてなる二重壁部が設けられており、
前記アッパカバーを前記箱本体に取り付ける際に、前記アッパカバーの一端側に設けられた係合部を前記箱本体の一端側に設けられた被係合部に係合させて前記係合部を回動中心としながら前記アッパカバーを回動させて前記箱本体に取り付ける電気接続箱において、
前記箱本体の一端側及び前記アッパカバーの一端側において、前記アッパカバーが前記箱本体に取り付けられた状態で、前記アッパカバーの前記外壁よりも内側に前記箱本体の前記外壁が位置付けられ、前記箱本体の前記外壁よりも内側に前記アッパカバーの前記内壁が位置付けられ、前記アッパカバーの前記内壁よりも内側に前記箱本体の前記内壁が位置付けられている一方、
前記アッパカバーの前記内壁の突出端面の位置が、前記箱本体の前記外壁の突出端面の位置と同じか高くなるように設定され、且つ前記箱本体の前記内壁の突出端面の位置が、前記アッパカバーの前記内壁の突出端面の位置よりも高くなるように設定されている
ことを特徴とする電気接続箱。
【請求項２】
前記一端側以外の少なくとも一部の領域において、前記アッパカバーが前記箱本体に取り付けられた状態で、前記アッパカバーの前記内壁の突出端面の位置が前記箱本体の前記外壁の突出端面の位置よりも低くなるように設定されている請求項１に記載の電気接続箱。
【発明の詳細な説明】
【技術分野】
【０００１】
本発明は、自動車等に搭載される電気接続箱に係り、特に、外部からの浸水を防止する防水構造を備えた電気接続箱に関するものである。
【背景技術】
【０００２】
従来から、自動車等に搭載される電気接続箱は、枠状に形成された周壁を有し、該周壁の内部にリレーやヒューズ、電線等の電気部品を装着保持する箱本体と、かかる箱本体の上下側の開口部を覆うアッパカバーやロアカバー等の蓋体を含んで構成されている。例えば、特開２０１３−３４３２０号公報（特許文献１）に記載の如きである。
【０００３】
ところで、特許文献１の図５に明示されているように、箱本体の周壁の上側端部及びアッパカバーの下側の開口端部には、周方向に延出する内壁および外壁が隙間を隔てて配設されてなる二重壁部が設けられている。そして、アッパカバーの二重壁部の内壁と外壁の間に箱本体の二重壁部の外壁を挿し入れることにより、アッパカバーが箱本体の上側開口部を覆蓋するようになっている。これにより、車両に搭載された電気接続箱が被水した場合でも、アッパカバーと箱本体の二重壁部同士の重ね合せにより、電気接続箱の外部から内部への水の浸入経路が複雑となり、アッパカバーと箱本体の嵌合部分から電気接続箱の内部に浸水することが、有利に防止されている。
【０００４】
しかも、このような従来構造の電気接続箱では、特許文献１の図５及び図６に明示されているように、アッパカバーの一端側に設けられた係合部を箱本体の一端側に設けられた被係合部に係合させて、係合部を回動中心としながらアッパカバーを回動させて箱本体に取り付けられる構造が広く採用されている。これにより、アッパカバーを箱本体に取り付ける際にアッパカバーと箱本体のそれぞれの二重壁部を周方向の全体に亘って高精度に位置決めする必要が無い。それ故、アッパカバーの箱本体に対する取り付け作業を容易に行うことができ、作業時間の短縮や製造コストの低減が図られている。特に、回動中にアッパカバーの一端側の内壁が箱本体の外壁に干渉しないようにするため、一端側のアッパカバーの内壁が箱本体の外壁に対して隙間を隔てて形成される工夫がされている。
【０００５】
しかしながら、箱本体の被係合部に対するアッパカバーの係合部のクリアランスや、アッパカバー及び箱本体の寸法公差はばらつきが大きいことから、アッパカバーの内壁と箱本体の外壁の干渉を防止するためには、一端側のアッパカバーの内壁と箱本体の外壁の間の隙間を十分に大きく確保する必要があった。このような従来構造では、電気接続箱の大型化が避けられず、近年の電気接続箱の小型化に対する要求に対応できない場合があった。
【先行技術文献】
【特許文献】
【０００６】
【特許文献１】特開２０１３−３４３２０号公報
【発明の概要】
【発明が解決しようとする課題】
【０００７】
本発明は、上述の事情を背景に為されたものであって、その解決課題は、電気接続箱の小型化の要求に対応しつつ回動中のアッパカバーの内壁と箱本体の外壁の干渉をより確実に防止でき、且つ防水性を確保できる、新規な構造の電気接続箱を提供することにある。
【課題を解決するための手段】
【０００８】
本発明の第一の態様は、枠状に形成された周壁を有する箱本体と、前記箱本体の上方開口部を覆うアッパカバーを備え、前記箱本体の前記周壁の上側端部及び前記アッパカバーの開口端部には、周方向に延出する内壁および外壁が隙間を隔てて配設されてなる二重壁部が設けられており、前記アッパカバーを前記箱本体に取り付ける際に、前記アッパカバーの一端側に設けられた係合部を前記箱本体の一端側に設けられた被係合部に係合させて前記係合部を回動中心としながら前記アッパカバーを回動させて前記箱本体に取り付ける電気接続箱において、前記箱本体の一端側及び前記アッパカバーの一端側において、前記アッパカバーが前記箱本体に取り付けられた状態で、前記アッパカバーの前記外壁よりも内側に前記箱本体の前記外壁が位置付けられ、前記箱本体の前記外壁よりも内側に前記アッパカバーの前記内壁が位置付けられ、前記アッパカバーの前記内壁よりも内側に前記箱本体の前記内壁が位置付けられている一方、前記アッパカバーの前記内壁の突出端面の位置が、前記箱本体の前記外壁の突出端面の位置と同じか高くなるように設定され、且つ前記箱本体の前記内壁の突出端面の位置が、前記アッパカバーの前記内壁の突出端面の位置よりも高くなるように設定されていることを特徴とする。
【０００９】
本態様によれば、箱本体の一端側及びアッパカバーの一端側において、アッパカバーが箱本体に取り付けられた状態で、アッパカバーの内壁の突出端面の位置が箱本体の外壁の突出端面の位置と同じか高くなるように設定されている。これにより、アッパカバーの係合部を回動中心としながらアッパカバーを回動させる際に、アッパカバーの一端側の内壁と箱本体の外壁の干渉を確実に防止できる。それ故、従来構造のように、一端側における箱本体の外壁とアッパカバーの内壁との間隔を大きく確保することで干渉を防止する構造に比して、電気接続箱の外周側への拡張を抑制して、電気接続箱の大型化を回避することができる。
【００１０】
しかも、箱本体の内壁の突出端面の位置が、アッパカバーの内壁の突出端面の位置よりも高くなるように設定されている。これにより、アッパカバーの内壁を超えて内部に浸入した水が、箱本体の内壁を超えて内部に浸入することが防止でき、電気接続箱の防水性が一層有利に向上される。
【００１１】
加えて、箱本体の内壁の突出端面の位置が箱本体の外壁の突出端面の位置よりも高くなっていることから、アッパカバーの外壁と箱本体の外壁の隙間から水が浸入した場合であっても、かかる水の箱本体の内壁を超えて電気接続箱の内部に浸入することが有利に防止されている。その結果、当該水の箱本体の内壁外面を伝った外部への排水が速やかに実行されて、有利に外部に排水することができ、電気接続箱の内部への浸水を確実に防止できる。
【００１２】
本発明の第二の態様は、前記第一の態様に記載のものにおいて、前記一端側以外の少なくとも一部の領域において、前記アッパカバーが前記箱本体に取り付けられた状態で、前記アッパカバーの前記内壁の突出端面の位置が前記箱本体の前記外壁の突出端面の位置よりも低くなるように設定されているものである。
【００１３】
本態様によれば、箱本体に対するアッパカバーの回転嵌合に際して、アッパカバーの内壁と箱本体の外壁の干渉が問題とならない一端側以外の少なくとも一部の領域において、アッパカバーの内壁の突出端面の位置が箱本体の外壁の突出端面の位置よりも低くなるように設定されている。かかる領域においては、アッパカバーの内壁を箱本体の二重壁の外壁と内壁の間に嵌合することができることから、箱本体の上方開口部をアッパカバーによってより安定して覆うことが可能となる。
【発明の効果】
【００１４】
本発明の電気接続箱によれば、箱本体及びアッパカバーの一端側において、アッパカバーが箱本体に取り付けられた状態で、アッパカバーの内壁の突出端面の位置が箱本体の外壁の突出端面の位置と同じか高く設定されている。これにより、アッパカバーの係合部を回動中心にアッパカバーを回動させる際に、アッパカバーの一端側の内壁と箱本体の外壁の干渉を確実に防止できる。それ故、従来の如き一端側における箱本体の外壁とアッパカバーの内壁の間隔を大きく確保することで干渉を防止する構造に比して、電気接続箱の外周側への拡張を抑制して電気接続箱の大型化を回避できる。しかも、箱本体の内壁の突出端面の位置が、アッパカバーの内壁の突出端面の位置よりも高くなるように設定されていることにより、アッパカバーの内壁を超えて内部に浸入した水が、箱本体の内壁を超えて内部に浸入することが防止できる。また、箱本体の内壁の突出端面の位置が箱本体の外壁の突出端面の位置よりも高くなっているので、アッパカバーの外壁と箱本体の外壁の隙間から水が浸入しても、箱本体の内壁を超えて内部に浸入することが有利に防止できる。
【図面の簡単な説明】
【００１５】
【図１】本発明の一実施形態としての電気接続箱の斜視図（箱本体とアッパカバーの嵌合時）。
【図２】図１に示した箱本体の斜視図。
【図３】図１に示したアッパカバーの下面から見た斜視図。
【図４】図１に示した電気接続箱の平面図。
【図５】図４におけるＶ−Ｖ断面図。
【図６】アッパカバーを回動させて箱本体に取り付ける途中の状態を表す断面図であって、図５に相当する図。
【図７】図１に示した電気接続箱の別の方向から見た斜視図。
【図８】図７に示した電気接続箱において、アッパカバーを回動させて箱本体に取り付ける途中の状態を表す斜視図。
【発明を実施するための形態】
【００１６】
以下、本発明の実施形態について、図面を参照しつつ説明する。
【００１７】
図１〜８に、本発明の一実施形態としての電気接続箱１０を示す。電気接続箱１０は、自動車等の図示しない車両の適所に配設されてバッテリーから供給される電力をモータやランプ等の車載電装品に分配する機能を担っている。なお、電気接続箱１０は、図１の上下方向を鉛直方向として車両へ搭載される。なお、以下の説明において、特に断りのない場合には、上下方向とは、図１における上下方向を言い、長さ方向及び前後方向とは、図４における左右方向を言い、幅方向とは、図４における上下方向を言うものとする。
【００１８】
より詳細には、電気接続箱１０は、箱本体１２と、箱本体１２の上方開口部１４を覆うアッパカバー１６と、箱本体１２の下方開口部１８を覆う図示しないロアカバーを含んで構成されている。これら箱本体１２とアッパカバー１６とロアカバーは何れも、例えばポリプロピレン（ＰＰ）、ポリアミド（ＰＡ）等の合成樹脂により射出成形等によって一体形成されている。
【００１９】
箱本体１２は、全体として長手矩形枠体形状を有しており、図２に示されているように、箱本体１２の上方開口部１４側には、略矩形筒状の複数のリレーブロック装着部２０が貫設されている一方、複数のコネクタ装着部２２が、上方に向かって開口形成されている。リレーブロック装着部２０の下端部には内方に向かって突出するリレーブロック保持突起２４が設けられており（図５参照）、図示しないリレーブロックがリレーブロック装着部２０に装着された際にリレーブロックの裏面を位置決め・保持できるようになっている。一方、箱本体１２の下方開口部１８側には、リレーブロック装着部２０及びコネクタ装着部２２に装着された図示しないリレーブロックやコネクタに接続された、図示しない電線が配設されている。なお、これらの電線は、後述する電線導出孔４０から外部に引き出されて車載電装品やバッテリー等に接続されるようになっている。
【００２０】
箱本体１２は枠状に形成された周壁２８を有しており、図２に示されているように、箱本体１２の周壁２８の上側端部には、周方向に延出する内壁３０および外壁３２が隙間３４を隔てて配設されてなる二重壁部３６が設けられている。一方、箱本体１２の周壁２８の下側端部には、周方向に離隔する複数箇所においてロック部３８が設けられており、図示しないロアカバーの被ロック部に対して嵌合されることにより、箱本体１２の下方開口部１８がロアカバーによって覆蓋状態に保持できるようになっている。加えて、箱本体１２の下方開口部１８には、外方（図２中、後方斜め手前側）に向かって突出する電線導出孔４０ａが設けられている。なお、電線導出孔４０ａは、上に凸の半円筒形状とされている。図示しないロアカバーにも、箱本体１２に設けられた電線導出孔４０ａに対応する箇所において、外方に向かって突出する下に凸の半円筒形状の電線導出孔が設けられており、箱本体１２とロアカバーの嵌合状態において、箱本体１２の電線導出孔４０ａと組み合わされて円筒形状の電線導出孔４０が完成されるようになっている。
【００２１】
また、箱本体１２の長手方向（図２中、左右方向）で対向する周壁２８には、箱本体１２の上方開口部１４近傍において、一端側４２には略矩形ブロック状の被係合部４４が外方に向かって突設されている一方、他端側４６にはロック部４８が設けられている。図８に示されているように、ロック部４８は、箱本体１２の周壁２８の他端側４６の上部において、外方（図８中、後方）に向かって突出した後、上方に向かって延出する略平板状の一対のガイド部５０，５０と、一対のガイド部５０，５０の上方に延出する部分の外縁部を連結する連結部５２により構成された、平面視で略コ字状の枠体形状とされている。かかる一対のガイド部５０，５０及び連結部５２と周壁２８に囲まれた領域によって収容部５４が構成されている一方、図２に示されているように、箱本体１２の周壁２８に対向する連結部５２の内面の上端部には、箱本体１２の周壁２８に向って突出する係合突部５６が幅方向の略全体に亘って形成されている。
【００２２】
さらに、箱本体１２の幅方向で対向する一方（図４中、下方）の周壁２８の外周面には、図示しない固定用ブラケットに装着されるロック嵌合部５８が突設されており、ロック嵌合部５８を図示しない固定用ブラケットに嵌合させることにより、電気接続箱１０が車両の所定位置に安定して保持されるようになっている。
【００２３】
アッパカバー１６は、下方に開口する箱体形状を有しており、平面視において、箱本体１２の上方開口部１４と略同一の長手矩形状の上壁６０と、上壁６０の外周縁部から下方に向って突出する周壁６２を備えて構成されている（図３参照）。アッパカバー１６の周壁６２の開口端部には、周方向に延出する内壁６４および外壁６６が隙間６７を隔てて配設されてなる二重壁部６８が設けられており、内壁６４と外壁６６の間に設けられた連結部７０を介して内壁６４と外壁６６が一体的に連結されている。なお、本実施形態では、外壁６６が内壁６４よりもより箱本体１２側に突出するように形成されている。また、内壁６４は、一端側４２に設けられた内壁６４ａと、一端側４２以外の領域に設けられ且つ内壁６４ａよりも箱本体１２側に延出するように形成された内壁６４ｂから構成されている。
【００２４】
また、アッパカバー１６の長手方向（図３中、左右方向）で対向する周壁６２には、一端側４２において係合部７２が形成されている一方、他端側４６において被ロック部７４が形成されている。図１及び図３に示されているように、係合部７２は、周壁６２の下方に向って延出する正面視で略コ字状の枠体形状とされており、係合孔７６を備えている。一方、図３及び図８に示されているように、被ロック部７４は、周壁６２の開口端部から断面Ｌ字形状で上方に向かって突設されて片持ち構造とされた矩形状の弾性突片７８と、弾性突片７８の両側に隙間を隔てて突設された略矩形状の一対のガイド板部８０，８０から構成されている。弾性突片７８の中央部には、外方に向かって突出する係合突起８２が設けられている一方、弾性突片７８の突出端部は係合解除部８４とされている。
【００２５】
このような構成とされたアッパカバー１６を箱本体１２の上方開口部１４に取り付ける際には、先ず、図６に示されているように、アッパカバー１６の一端側４２に設けられた係合部７２の係合孔７６に対して、箱本体１２の一端側４２に設けられた被係合部４４を挿し入れて係合する。次に、図５〜８に示されているように、かかる状態を維持しながら係合部７２を回動中心としてアッパカバー１６を箱本体１２に向かって回動させることにより、アッパカバー１６が箱本体１２の上方開口部１４を覆蓋した状態で箱本体１２に取り付けられる。より詳細には、アッパカバー１６を回動させることにより、先ず、アッパカバー１６の被ロック部７４の下端部が、箱本体１２のロック部４８の収容部５４に挿し入れられる。そして、さらにアッパカバー１６を回動させることにより、アッパカバー１６の被ロック部７４のガイド板部８０が箱本体１２のロック部４８のガイド部５０によってガイドされて、アッパカバー１６の被ロック部７４が箱本体１２のロック部４８の収容部５４の奥方に挿入される。そして、被ロック部７４の弾性突片７８が収容部５４に挿入されることで、弾性突片７８の係合突起８２が箱本体１２のロック部４８の係合突部５６に当接して内方に撓み変形することにより、弾性突片７８の収容部５４への更なる挿入が許容される。続いて、係合突起８２が係合突部５６を乗り越えて弾性突片７８が弾性復帰されると、係合突起８２が係合突部５６の下端部に係合することで、箱本体１２とアッパカバー１６がロック機構によりロック嵌合される。このように、本実施形態では、箱本体１２とアッパカバー１６をロック嵌合するロック機構が、一端側４２に設けられた箱本体１２のロック部４８及びアッパカバー１６の被ロック部７４と、他端側４６に設けられた箱本体１２の被係合部４４及びアッパカバー１６の係合部７２によって構成されている。なお、ロックを解除したい場合には、アッパカバー１６の被ロック部７４の係合解除部８４を押しながらアッパカバー１６を上方に持ち上げることにより、箱本体１２の上方開口部１４を開蓋することができる。
【００２６】
かかる箱本体１２とアッパカバー１６の嵌合状態において、一端側４２では、図５に示されているように、アッパカバー１６の外壁６６よりも内側に箱本体１２の外壁３２が位置付けられ、箱本体１２の外壁３２よりも内側にアッパカバー１６の内壁６４ａが位置付けられ、アッパカバー１６の内壁６４ａよりも内側に箱本体１２の内壁３０が位置付けられている。そして、アッパカバー１６の内壁６４ａの突出端面８６ａの位置が、箱本体１２の外壁３２の突出端面８８の位置と略同じになるように設定され、且つ箱本体１２の内壁３０の突出端面９０の位置が、アッパカバー１６の内壁６４ａの突出端面８６ａの位置よりも高くなるように設定されている。なお、この結果、箱本体１２の内壁３０の突出端面９０の位置が、箱本体１２の外壁３２の突出端面８８の位置よりも高くなっている。
【００２７】
一方、かかる箱本体１２とアッパカバー１６の嵌合状態において、アッパカバー１６の内壁６４と箱本体１２の外壁３２の干渉が問題とならない一端側４２以外の領域、例えば他端側４６では、図５に示されているように、アッパカバー１６の内壁６４ｂの突出端面８６ｂの位置が箱本体１２の外壁３２の突出端面８８の位置よりも低くなるように設定されている。
【００２８】
このような構造とされた本実施形態の電気接続箱１０によれば、箱本体１２とアッパカバー１６の嵌合状態において、一端側４２では、アッパカバー１６の内壁６４ａの突出端面８６ａの位置が箱本体１２の外壁３２の突出端面８８の位置と略同じになるように設定されている。これにより、図６に示されているように、アッパカバー１６の係合部７２を回動中心としてアッパカバー１６を回動させる際に、アッパカバー１６の内壁６４ａと箱本体１２の外壁３２の干渉を確実に防止できる。それ故、従来の如き一端側４２において箱本体１２の外壁３２とアッパカバー１６の内壁６４ａとの間隔を大きく確保することで干渉を防止する構造に比して、電気接続箱１０の外周側への拡張を抑制して、電気接続箱１０の大型化を回避することができるのである。
【００２９】
しかも、箱本体１２の内壁３０の突出端面９０の位置が、アッパカバー１６の内壁６４ａの突出端面８６ａの位置よりも高くなるように設定されている。これにより、アッパカバー１６の内壁６４ａを超えて内部に浸入した水が、箱本体１２の内壁３０を超えて電気接続箱１０の内部に浸入することが防止できる。従って、電気接続箱１０の防水性が一層有利に向上される。
【００３０】
また、箱本体１２の内壁３０の突出端面９０の位置が箱本体１２の外壁３２の突出端面８８の位置よりも高くなっていることから、アッパカバー１６の外壁６６と箱本体１２の外壁３２の隙間から水が浸入した場合であっても、かかる水の箱本体１２の内壁３０を超えて電気接続箱１０の内部に浸入することが有利に防止されている。また、当該水の箱本体１２の内壁３０の外面を伝った外部への排水が速やかに実行されるので、電気接続箱１０の内部への浸水を確実に防止できる。
【００３１】
加えて、箱本体１２とアッパカバー１６の嵌合状態において、アッパカバー１６の内壁６４と箱本体１２の外壁３２の干渉が問題とならない一端側４２以外の領域では、アッパカバー１６の内壁６４ｂの突出端面８６ｂの位置が箱本体１２の外壁３２の突出端面８８の位置よりも低くなるように構成されている。かかる領域では、アッパカバー１６の内壁６４ｂを箱本体１２の二重壁部３６の外壁３２と内壁３０の間に嵌合することができることから、箱本体１２の上方開口部１４をアッパカバー１６によってより安定して覆うことが可能となっているのである。
【００３２】
以上、本発明の実施形態について詳述したが、本発明はその具体的な記載によって限定されない。例えば、ロック機構を構成するロック部４８及び被ロック部７４と係合部７２及び被係合部４４の具体的形状は、特に限定されるものではなく、電気接続箱１０の形状等を考慮して任意に設定可能である。また、本実施形態では、一端側４２以外の領域すべてにおいて、アッパカバー１６の内壁６４ｂの突出端面８６ｂの位置が箱本体１２の外壁３２の突出端面８８の位置よりも低くなるように構成されていたが、一端側４２以外の少なくとも一部の領域においてかかる構成とされていれば、箱本体１２の上方開口部１４をアッパカバー１６によってより安定して覆うことが可能である。
【００３３】
さらに、本実施形態では、アッパカバー１６の内壁６４ａの突出端面８６ａの位置が箱本体１２の外壁３２の突出端面８８の位置と略同じになるように設定されていたが、突出端面８８の位置より高くてもよい。すなわち、アッパカバー１６の内壁６４ａの突出端面８６ａの位置が箱本体１２の外壁３２の突出端面８８の位置以上になるように設定されていれば、アッパカバー１６の係合部７２を回動中心としてアッパカバー１６を回動させる際に、アッパカバー１６の内壁６４ａと箱本体１２の外壁３２の干渉を確実に防止できる。その結果、従来構造のように箱本体１２の外壁３２とアッパカバー１６の内壁６４ａの隙間を大きくして干渉を防止する場合に比して、電気接続箱１０の大型化を回避することができる。
【符号の説明】
【００３４】
１０：電気接続箱、１２：箱本体、１４：上方開口部、１６：アッパカバー、２８：周壁（箱本体）、３０：内壁、３２：外壁、３４：隙間、３６：二重壁部、４２：一端側、４４：被係合部、６２：周壁（アッパカバー）、６４，６４ａｂ：内壁、６６：外壁、６７：隙間、６８：二重壁部、７２：係合部、８６ａｂ：突出端面（アッパカバーの内壁）、８８：突出端面（箱本体の外壁）、９０：突出端面（箱本体の内壁）
【図１】
2016025803.tif 000003
【図２】
2016025803.tif 000004
【図３】
2016025803.tif 000005
【図４】
2016025803.tif 000006
【図５】
2016025803.tif 000007
【図６】
2016025803.tif 000008
【図７】
2016025803.tif 000009
【図８】
2016025803.tif 000010